(57)【要約】【課題】本発明は、２つのコンテンツをそれぞれ任意の位置で交互に再生することが可能な再生装置を提供する。【解決手段】本実施の形態の再生装置は、２つのデータを交互に再生する再生装置であって、前記２つのデータに関連する情報をそれぞれ記録するメモリと、操作を指示する操作手段と、前記データを再生する再生手段と、前記操作手段で指示を受けた時、前記再生手段で再生しているデータの再生を停止して、その停止位置をそのデータと関連付けて前記メモリに記録する再生停止手段と、前記再生停止手段でデータの再生を停止した時、もう一方のデータを、前記メモリに前記もう一方のデータに関連付けされて記録されている停止位置から再生する再生開始手段とを備える。【選択図】図１
2014081393.tif 000002
【特許請求の範囲】
【請求項１】
２つのデータを交互に再生する再生装置であって、
前記２つのデータに関連する情報をそれぞれ記録するメモリと、
操作を指示する操作手段と、
前記データを再生する再生手段と、
前記操作手段で指示を受けた時、前記再生手段で再生しているデータの再生を停止して、その停止位置をそのデータと関連付けて前記メモリに記録する再生停止手段と、
前記再生停止手段でデータの再生を停止した時、もう一方のデータを、前記メモリに前記もう一方のデータに関連付けされて記録されている停止位置から再生する再生開始手段とを備えることを特徴とする再生装置。
【請求項２】
前記データは、少なくとも音声あるいは映像を含むことを特徴とする請求項１に記載の再生装置。
【請求項３】
集音手段で取得したデータを記録するとともに、記録したデータを再生可能な記録再生装置であって、
前記データに関連する情報、及び前記集音手段で取得したデータを記録するメモリと、
操作を指示する操作手段と、
前記データを再生する再生手段と、
前記操作手段で指示を受けた時、前記再生手段で再生しているデータの再生を停止して、その停止位置をそのデータと関連付けて前記メモリに記録する再生停止手段と、
前記再生停止手段でデータの再生を停止した時、前記集音手段で取得したデータを記録する記録開始手段と、
前記操作手段で指示を受けた時、前記記録開始手段でデータの記録を開始している場合には、その記録を停止して、前記再生停止中のデータを前記メモリに記録されている停止位置から再生する再生開始手段とを備えることを特徴とする記録再生装置。
【請求項４】
前記データは、少なくとも音声あるいは映像を含むことを特徴とする請求項３に記載の記録再生装置。
【発明の詳細な説明】
【技術分野】
【０００１】
本発明は、音声データ、映像データを記録および再生する記録再生装置に関し、特に、２つのコンテンツを交互に再生することに関するものである。
【背景技術】
【０００２】
従来の記録再生装置は、語学学習や楽器演奏などの用途として、お手本となる講師の音声や音楽のコンテンツと、自分で発音した音声や自分で演奏した音楽を録音したコンテンツとを交互に再生して、お手本の音声や音楽と自分で発音した音声や自分で演奏した音楽との差を聞き比べすることに利用されている。
【０００３】
特許文献１では、伴奏曲と歌声とを含む原曲の音楽データと、この原曲の伴奏曲のみの音楽データが同じ記録媒体または異なる記録媒体に記録されていて、原曲と伴奏曲の同じ曲部分を互いに同じ時間となるように交互に切り換えて再生する音響再生装置が開示されている。
【０００４】
このように、従来の音響再生装置は、原曲と伴奏曲とが一部分ずつ交互に再生されるため、原曲を部分的に聞き、その直後に同じ部分の伴奏曲を聞いて歌うことができるため、カラオケ練習としては最適な装置となる。
【０００５】
特許文献２では、コンパクトディスクのいずれかのトラックが再生中に、記憶手段に格納された別の音楽を読み出して再生を切り替えて、その別の音楽の再生が終了したときや停止したときには、再度、コンパクトディスク内のトラックのアドレスを読み出して、再生を再開する学習装置が開示されている。
【０００６】
このように、従来の学習装置は、コンパクトディスク等のメモリからトラック順にデータを読み出すばかりでなく、特定のトラックを簡単に読み出すことができるため、学習に疲れたときに、再生させるトラックを切り替えて再生することができる。
【先行技術文献】
【特許文献】
【０００７】
【特許文献１】特開平７−３０６６８６号公報
【特許文献２】特開平６−４３８００号公報
【発明の概要】
【発明が解決しようとする課題】
【０００８】
しかしながら、従来の音響再生装置は、伴奏曲の再生箇所は、原曲と同じ部分、同じ時間またはデータ長だけしか再生されず、原曲と伴奏曲とを交互に再生するためには、まず原曲を１曲通して再生させる必要があるという問題があった。
【０００９】
また、従来の学習装置は、記憶手段に格納された別の音楽を必ず先頭から再生してしまうため、所望の場所から再生させることはできないという問題があった。
【００１０】
そこで、本発明は、上記従来の問題点を解決すべく、お手本となる音声や音楽データのコンテンツと、自分で発音した音声や自分で演奏した音楽を録音したコンテンツとを、お手本コンテンツを１曲通して再生させることなく、ユーザー所望の地点から交互に再生を繰り返し、お手本コンテンツと自分で発音、演奏した音声や音楽コンテンツとを聞き比べできる再生装置を提供することを目的とする。
【課題を解決するための手段】
【００１１】
上記目的を達成するために、本発明の再生装置は、２つのデータを交互に再生する再生装置であって、前記２つのデータに関連する情報をそれぞれ記録するメモリと、操作を指示する操作手段と、前記データを再生する再生手段と、前記操作手段で指示を受けた時、前記再生手段で再生しているデータの再生を停止して、その停止位置をそのデータと関連付けて前記メモリに記録する再生停止手段と、前記再生停止手段でデータの再生を停止した時、もう一方のデータを、前記メモリに前記もう一方のデータに関連付けされて記録されている停止位置から再生する再生開始手段とを備えることを特徴としたものである。
【００１２】
このような構成をとることにより、異なる２つのコンテンツをそれぞれ好きな地点で交互に再生することができるという作用を有する。
【発明の効果】
【００１３】
本発明に係る再生装置によれば、ユーザーが任意に、コンテンツ再生を切り替えたい地点を設定できるため、お手本となるコンテンツとユーザー自身が記録したコンテンツにおいて聞きたい箇所の長さが異なっていても、２つのコンテンツの停止位置情報それぞれを記録しておくことで、２つのコンテンツを所望の位置で交互に再生することができ、語学学習や楽器演奏などのお手本データと、自分の発声データや演奏データとの聞き比べができる。
【００１４】
また、本発明に係る再生装置では、２つのコンテンツを同時にファイルオープンする必要はなく、一方のコンテンツをオープンし、そのコンテンツをクローズしてから、もう一方のコンテンツをオープンするため、複雑なファイル管理構造を必要としない。
【図面の簡単な説明】
【００１５】
【図１】本発明の実施の形態１にかかる再生装置のブロック図
【図２】本発明の実施の形態１にかかる再生装置における交互再生を示すフローチャート
【図３】本発明の実施の形態１にかかる再生装置における停止ボタン入力処理を示すフローチャート
【図４】本発明の実施の形態１にかかる再生装置におけるコンテンツａ再生停止処理を示すフローチャート
【図５】本発明の実施の形態１にかかる再生装置におけるコンテンツｂ再生停止処理を示すフローチャート
【図６】本発明の実施の形態１にかかる再生装置における交互再生を示す概念図
【図７】本発明の実施の形態１にかかる再生装置の位置情報領域を説明する図
【図８】本発明の実施の形態２にかかる記録再生装置のブロック図
【図９】本発明の実施の形態２にかかる記録再生装置における交互再生を実現するフローチャート
【図１０】本発明の実施の形態２にかかる再生装置における停止ボタン入力処理を示すフローチャート
【図１１】本発明の実施の形態２にかかる再生装置におけるコンテンツａ再生停止処理を示すフローチャート
【図１２】本発明の実施の形態２にかかる再生装置におけるコンテンツｂ記録停止処理を示すフローチャート
【図１３】本発明の実施の形態２にかかる再生装置における交互記録再生を示す概念図
【発明を実施するための形態】
【００１６】
以下、添付図面を参照しながら、本発明の再生装置及び記録再生装置に係る好適な実施の形態について説明する。なお、本実施の形態では、デジタルＩＣレコーダーを再生装置及び記録再生装置の一例として説明する。
【００１７】
（実施の形態１）
図１は、本発明の一実施形態に係る再生装置の構成例を示すブロック図で、再生装置の一実施形態であるデジタルＩＣレコーダーの構成例を示すものである。
【００１８】
デジタルＩＣレコーダー１００は、マイクロコンピュータ１０１、マイク１０２、イヤホン１０３、スピーカー１０４、音声データ処理手段１０５、不揮発性メモリ１０６、操作手段１０７、表示手段１０８で構成される。
【００１９】
マイクロコンピュータ１０１は、ＲＯＭ１０９、ＲＡＭ１１０、制御手段１１１、音声圧縮伸張手段１１２で構成され、デジタルＩＣレコーダー１００全体を制御する。
【００２０】
ＲＯＭ（Ｒｅａｄ  Ｏｎｌｙ  Ｍｅｍｏｒｙ）１０９は、デジタルＩＣレコーダー１００全体を制御する制御プログラムを格納する。本実施の形態では、制御プログラムを格納するために、ＲＯＭ１０９を用いたが、プログラムの書き換え・消去不可能なマスクＲＯＭであっても、プログラムの書き換え・消去可能なフラッシュメモリを含むＰＲＯＭ（Ｐｒｏｇｒａｍｍａｂｌｅ  Ｒｅａｄ  Ｏｎｌｙ  Ｍｅｍｏｒｙ）であってもかまわない。
【００２１】
ＲＡＭ（Ｒａｎｄｏｍ  Ａｃｃｅｓｓ  Ｍｅｍｏｒｙ）１１０は、一時的に制御プログラムを保持する作業用領域と、音声のコンテンツを保持するコンテンツ情報領域からなる。コンテンツ領域は、例えば図７（ａ）に示すように、２つのコンテンツ（コンテンツａ、コンテンツｂ）の再生停止位置であるコンテンツ情報を記録するための領域として、コンテンツａ位置情報領域１１３とコンテンツｂ位置情報領域１１４を確保する。
【００２２】
制御手段１１１は、デジタルＩＣレコーダー１００全体の処理を司る処理手段であり、例えば、中央演算装置、タイマカウンタ、割り込み機能を備える。また制御手段１１１は、音声のコンテンツを再生するコンテンツ再生手段１１５を備える。コンテンツ再生手段１１５は、コンテンツを再生し、イヤホン１０３あるいはスピーカー１０４に出力する。
【００２３】
音声圧縮伸張手段１１２は、デジタル化された音声データの圧縮と伸張を行う。
【００２４】
マイク１０２は、ユーザーが発した音声等の外部からの音をアナログ音声データとして電気信号に変換する。
【００２５】
イヤホン１０３は、コンテンツ再生手段１１５で再生された音声データが入力され、コンテンツを聴くための手段である。
【００２６】
スピーカー１０４は、コンテンツ再生手段１１５で再生された音声データを出力する手段である。
【００２７】
音声データ処理手段１０５は、マイク１０２で変換されたアナログ音声データをデジタル音声データに変換するＡ／Ｄ手段、マイクロコンピュータ１０１から出力されるデジタル音声データをアナログ音声データに変換するＤ／Ａ手段、デジタル音声データやアナログ音声データのノイズを除去するフィルタ等で構成される。
【００２８】
不揮発性メモリ１０６は、音声データ、音声データの管理情報、記録モード等のデジタルＩＣレコーダー１００で使用される各種パラメータを格納する。例えば、不揮発性メモリ１０６は、ＮＡＮＤフラッシュメモリで構成される。
【００２９】
操作手段１０７は、デジタルＩＣレコーダー１００に対する指令を入力する複数のボタンで構成される。操作手段１０７は、少なくとも専用ボタン１１６、停止ボタン１１７で構成される。専用ボタン１１６は、２つのコンテンツを交互に再生することを指示するために利用し、停止ボタン１１７は、その交互再生を停止することを指示するために利用する。本実施の形態では、デジタルＩＣレコーダー１００に対する指示手段としてボタンを利用しているが、後で説明する表示手段１０８に構成されたタッチパネルを操作するようにしても構わない。即ち、専用ボタン１１６や停止ボタン１１７に相当するものがタッチパネル上に表示され、それを触れることで同様の操作をすることができる。また、操作手段１１６は、少なくとも、上方向ボタン、下方向ボタン、決定ボタンを構成する。後で説明する表示手段に表示された複数のコンテンツの中から、上方向ボタン、下方向ボタン、決定ボタンを利用して、２つのコンテンツを選択する。
【００３０】
表示手段１０８は、デジタルＩＣレコーダー１００の動作状態等を表示する。
【００３１】
以上のように構成されたデジタルＩＣレコーダー１００は、２つのコンテンツ（音声データ）を交互に繰り返し再生することが可能である。以下で、このようなデジタルＩＣレコーダーの動作について、図１〜図７を用いて説明する。
【００３２】
ユーザーは、まず、表示手段１０８に表示された再生可能な複数の音声データの一覧から、上方向ボタン、下方向ボタンで再生したい音声データを決定ボタンで選択することで、２つの音楽データ（コンテンツａ、コンテンツｂ）を選択する。制御手段１１１は、コンテンツａとコンテンツｂが選択されると、位置情報領域１１３と１１４にそれぞれに、コンテンツａとコンテンツｂの再生停止位置情報として、コンテンツａの先頭位置ａ０とコンテンツｂの先頭位置ｂ０を格納する。位置情報領域１１３と１１４は、図７（ａ）に示されるように構成される。
【００３３】
交互再生の対象であるコンテンツａとコンテンツｂが選択された後、専用ボタン１１６を押すことにより（ステップＳ１０１）、制御手段１１１が、コンテンツａのファイルをオープンする（ステップＳ１０２）。制御手段１１１は、ファイルをオープンした後に、コンテンツａの再生停止位置情報を位置情報領域１１３から読み出す（ステップＳ１０３）。この時点では、位置情報領域１１３には「ａ０」が格納されているので、コンテンツａの再生位置として「ａ０」を得ることができる。制御手段１１１は、位置ａ０（先頭）からコンテンツａを再生する（ステップＳ１０４、図６の動作(1)）。
【００３４】
コンテンツａが再生されている途中で、専用ボタン１１６が押されると（ステップＳ１０５での判定Ｙｅｓ）、制御手段１１１は、コンテンツａの再生を停止する（ステップＳ１０６のコンテンツａ再生停止処理）。このときの停止位置はａ１であるとする。コンテンツａ再生停止処理では、制御手段１１１は、まず、コンテンツａの再生を停止し（ステップＳ１２８）、位置情報領域１１３をコンテンツａが停止した位置ａ１に書き換える（ステップＳ１２９、図６の動作(2)）、コンテンツａのファイルをクローズする（ステップＳ１３０）。
【００３５】
一方、交互再生の対象であるコンテンツａとコンテンツｂが選択された後、ユーザーが専用ボタン１１６を押さなかった場合には、停止ボタン１１７が押されたかどうかを判定する（ステップＳ１１０）。停止ボタンが押されたら停止ボタン入力処理（ステップＳ１１１）を行う（ステップＳ１１０での判定Ｙｅｓ）。停止ボタンが押されなかったら、その他のボタンの機能に応じた動作を行う（ステップＳ１１２）。停止ボタン入力処理では、制御手段１１１は、まず、再生中のコンテンツの再生を停止する（ステップＳ１２６）。その後、位置情報領域１１３、１１４にあるコンテンツの再生停止位置情報を削除する（ステップＳ１２７）。本実施の形態では、交互再生が終了したら、コンテンツの再生停止位置情報を削除しているが、初期値に設定し直すような処理を行っても良い。
【００３６】
コンテンツａ再生停止処理が終了すると、制御手段１１１は、コンテンツｂのファイルをオープンする（ステップＳ１０７）。制御手段１１１は、ファイルをオープンした後に、コンテンツｂの再生停止位置情報を位置情報領域１１４から読み出す（ステップＳ１０８）。この時点では、位置情報領域１１４には「ｂ０」が格納されているので、コンテンツｂの再生位置として「ｂ０」を得ることができる。制御手段１１１は、位置ｂ０（先頭）からコンテンツｂを再生する（ステップＳ１０９、図６の動作(3)）。
【００３７】
コンテンツｂが再生されている途中で、専用ボタン１１６が押されると（ステップＳ１１３での判定Ｙｅｓ）、制御手段１１１は、コンテンツｂの再生を停止する（ステップＳ１１４のコンテンツｂ再生停止処理）。このときの停止位置はｂ１であるとする。コンテンツｂ再生停止処理では、前記コンテンツａの再生停止処理と同様に、制御手段１１１は、まず、コンテンツｂの再生を停止し（ステップＳ１３１）、位置情報領域１１４をコンテンツｂが停止した位置ｂ１に書き換える（ステップＳ１３２、図６の動作(4)）。その後、コンテンツｂのファイルをクローズする（ステップＳ１３３）。
【００３８】
一方、コンテンツｂが再生されている途中で、ユーザーが専用ボタン１１６を押さなかった場合には、それ以降の動作は、既に説明したステップＳ１０５の場合と同等である。
【００３９】
コンテンツｂ再生停止処理が終了すると、制御手段１１１は、コンテンツａのファイルをオープンする（ステップＳ１１５）。制御手段１１１は、ファイルをオープンした後に、コンテンツａの再生停止位置情報を位置情報領域１１３から読み出す（ステップＳ１１６）。この時点で、位置情報領域１１３には「ａ１」が格納されているので、コンテンツａの再生位置として「ａ１」を得ることができる。制御手段１１１は、位置ａ１（前回再生を止めた位置）からコンテンツａの再生を再開する（ステップＳ１１７、図６の動作(5)）。
【００４０】
コンテンツａが再生されている途中で、専用ボタン１１６が押されると（ステップＳ１２０での判定Ｙｅｓ）、制御手段１１１は、コンテンツａの再生を停止する（ステップＳ１０６のコンテンツａ再生停止処理）。このときの停止位置はａ２であるとする。コンテンツａ再生停止処理は、既に説明したように、制御手段１１１は、まず、コンテンツａの再生を停止し（ステップＳ１２８）、位置情報領域１１３をコンテンツａが停止した位置ａ２に書き換える（ステップＳ１２９、図６動作(6)）。その後、コンテンツａのファイルをクローズする（ステップＳ１３０）。
【００４１】
一方、コンテンツａが再生されている途中で、ユーザーが専用ボタン１１６を押さなかった場合には、それ以降の動作は、既に説明したステップＳ１０５やステップＳ１１３の場合と同等である。
【００４２】
コンテンツａ再生停止処理が終了すると、制御手段１１１は、コンテンツｂのファイルをオープンする（ステップＳ１２１）。制御手段１１１は、ファイルをオープンした後、コンテンツｂの再生停止位置情報を位置情報領域１１４から読み出す（ステップＳ１２２）。この時点で、位置情報領域１１４には「ｂ１」が格納されているので、コンテンツｂの再生位置として「ｂ１」を得ることができる。制御手段１１１は、位置ｂ１（前回再生を止めた位置）からコンテンツｂの再生を再開する（ステップＳ１２３、図６の動作(7)）。
【００４３】
以降、制御手段１１１は、ステップＳ１１３に戻り、既に説明したように、ステップＳ１１３以降の動作を繰り返すことにより、コンテンツａとコンテンツｂの再生を交互に繰り返すことができる（図６の動作(8)以降）。
【００４４】
本実施の形態では、図７（ａ）で示すデータ構造でコンテンツの再生位置情報を管理することで、位置情報領域１１３と１１４には、前回の停止位置のみ確保するようにしたので、ＲＡＭ１１０で使用する容量を少なくすることができる。しかし、図７（ｂ）のように、コンテンツａとコンテンツｂの停止位置を全て確保するようにしてもよい。これにより、全ての位置情報を保持することで、ユーザーはいったん交互再生動作を終了させた後であっても、再度、専用ボタン１１６による入力操作を１回行うだけで、専用ボタン１１６による入力操作を都度行わなくても、自動的に２つのコンテンツの交互再生を実現することができる。ＲＡＭ１１０の容量に特に制約がない場合などは、全ての停止情報を保持する管理方法が有用となる。
【００４５】
なお、本実施の形態では、停止ボタン１１７を押すことで、コンテンツａとコンテンツｂの交互再生を終了させていたが、コンテンツａ、コンテンツｂのいずれかのコンテンツの終端まで再生が進めば、停止ボタン１１７を押さなくても、再生中のコンテンツとは異なるコンテンツを自動的に再生するようにしてもよい。さらに、自動的に再生したコンテンツの再生が終端に達して終了したら、２つのコンテンツの交互再生は終了する。
【００４６】
なお、本実施の形態に際しては、コンテンツａとコンテンツｂの種別は問わない。つまり、音声圧縮伸張手段１１２は、デジタル化された音声データの圧縮と伸張を行うが、圧縮伸張方式としては、ＭＰ３（ＭＰＥＧ−１  Ａｕｄｉｏ  Ｌａｙｅｒ−３）やＷＭＡ（Ｗｉｎｄｏｗｓ（登録商標）  Ｍｅｄｉａ  Ａｕｄｉｏ）等、すべてに適用できる。さらに、音声データの圧縮率についても、コンテンツａ、コンテンツｂともに同じ圧縮率のデータである必要はなく、異なる圧縮率のデータどうしであっても、２つのコンテンツ間を交互に再生することができる。
【００４７】
また、本実施の形態に際しては、例えば、リニアＰＣＭレコーダーのような音声圧縮処理を施さない装置にも適用できるため、デジタルＩＣレコーダー１００は、音声圧縮伸張手段１１２を含まなくても構わない。
【００４８】
（実施の形態２）
以下、図８〜図１３を参照しながら、本発明の記録再生装置にかかる好適な実施の形態について説明する。
【００４９】
図８は、実施の形態２にかかる記録再生装置の構成例を示すブロック図で、記録再生装置の一実施形態であるデジタルＩＣレコーダーの構成例を示すものである。本実施の形態は、実施の形態１の制御手段１１１に、さらにコンテンツ記録手段１１８を備えたものである。コンテンツ記録手段１１８以外は、実施の形態１の再生装置と同じ構成であるため、ここでは説明を省略する。
【００５０】
コンテンツ記録手段１１８は、デジタル音声データを関連情報とともに不揮発性メモリ１０６に記録する。
【００５１】
図９は、本実施の形態にかかる記録再生装置における交互再生を実現するフローチャートである。
【００５２】
以上のように構成されたデジタルＩＣレコーダー１００は、１つのコンテンツの再生と外部からの音声データの記録を交互に繰り返すことが可能である。以下で、このようなデジタルＩＣレコーダーの動作について、図８〜図１３を用いて説明する。
【００５３】
ユーザーは、まず、表示手段１０８に表示された再生可能な複数の音声データの一覧から、上方向ボタン、下方向ボタンで再生したい音声データを決定ボタンで選択することで、１つの音楽データ（コンテンツａ）を選択する。制御手段１１１は、コンテンツａが選択されると、位置情報領域１１３に、コンテンツａの再生停止位置情報として、コンテンツａの先頭位置ａ０を格納する。位置情報領域１１３は、図７（ａ）に示されるように構成される。
【００５４】
交互再生の対象であるコンテンツａが選択された後、専用ボタン１１６を押すことにより（ステップＳ９０１）、制御手段１１１が、コンテンツａのファイルをオープンする（ステップＳ９０２）。制御手段１１１は、ファイルをオープンした後に、コンテンツａの再生停止位置情報を位置情報領域１１３から読み出す（ステップＳ９０３）。この時点では、位置情報領域１１３には「ａ０」が格納されているので、コンテンツａの再生位置として「ａ０」を得ることができる。制御手段１１１は、位置ａ０（先頭）からコンテンツａを再生する（ステップＳ９０４、図１３の動作(1)）。
【００５５】
コンテンツａが再生されている途中で、専用ボタン１１６が押されると（ステップＳ９０５での判定Ｙｅｓ）、制御手段１１１は、コンテンツａの再生を停止する（ステップＳ９０６のコンテンツａ再生停止処理）。このときの停止位置はａ１であるとする。コンテンツａ再生停止処理では、制御手段１１１は、まず、コンテンツａの再生を停止し（ステップＳ９２７）、位置情報領域１１３をコンテンツａが停止した位置ａ１に書き換える（ステップＳ９２８、図１３の動作(2)）、コンテンツａのファイルをクローズする（ステップＳ９２９）。
【００５６】
一方、交互再生の対象であるコンテンツａが選択された後、ユーザーが専用ボタン１１６を押さなかった場合には、停止ボタン１１７が押されたかどうかを判定する（ステップＳ９０９）。停止ボタンが押されたら停止ボタン入力処理（ステップＳ９１０）を行う（ステップＳ９０９での判定Ｙｅｓ）。停止ボタンが押されなかったら、その他のボタンの機能に応じた動作を行う（ステップＳ９１１）。停止ボタン入力処理では、制御手段１１１は、まず、再生中のコンテンツの再生を停止する（ステップＳ９２５）。その後、位置情報領域１１３、１１４にあるコンテンツの再生停止位置情報を削除する（ステップＳ９２６）。本実施の形態では、交互再生が終了したら、コンテンツの再生停止位置情報を削除しているが、初期値に設定し直すような処理を行っても良い。
【００５７】
コンテンツａ再生停止処理が終了すると、制御手段１１１は、コンテンツｂのファイルをオープンする（ステップＳ９０７）。制御手段１１１は、ファイルをオープンした後に、コンテンツ記録手段１１８は、マイク１０２で集音された音声データをＡ／Ｄ変換してコンテンツｂとして記録する（ステップＳ９０８、図１３の動作(3)）。
【００５８】
コンテンツｂを記録している途中で、専用ボタン１１６が押されると（ステップＳ９１２での判定Ｙｅｓ）、制御手段１１１は、コンテンツｂの記録を停止する（ステップＳ９１３のコンテンツｂ記録停止処理）。このときの停止位置はｂ１であるとする。コンテンツｂ記録停止処理では、前記コンテンツａの再生停止処理と同様に、制御手段１１１は、まず、コンテンツｂの記録を停止し（ステップＳ９３０）、位置情報領域１１４をコンテンツｂが停止した位置ｂ１に書き換える（ステップＳ９３１、図１３の動作(4)）。その後、コンテンツｂのファイルをクローズする（ステップＳ９３２）。
【００５９】
一方、コンテンツｂを記録している途中で、ユーザーが専用ボタン１１６を押さなかった場合には、それ以降の動作は、既に説明したステップＳ９０５の場合と同等である。
【００６０】
コンテンツｂ記録停止処理が終了すると、制御手段１１１は、コンテンツａのファイルをオープンする（ステップＳ９１４）。制御手段１１１は、ファイルをオープンした後に、コンテンツａの再生停止位置情報を位置情報領域１１３から読み出す（ステップＳ９１５）。この時点で、位置情報領域１１３には「ａ１」が格納されているので、コンテンツａの再生位置として「ａ１」を得ることができる。制御手段１１１は、位置ａ１（前回再生を止めた位置）からコンテンツａの再生を再開する（ステップＳ９１６、図１３の動作(5)）。
【００６１】
コンテンツａが再生されている途中で、専用ボタン１１６が押されると（ステップＳ９１９での判定Ｙｅｓ）、制御手段１１１は、コンテンツａの再生を停止する（ステップＳ９０６のコンテンツａ再生停止処理）。このときの停止位置はａ２であるとする。コンテンツａ再生停止処理は、既に説明したように、制御手段１１１は、まず、コンテンツａの再生を停止し（ステップＳ９２７）、位置情報領域１１３をコンテンツａが停止した位置ａ２に書き換える（ステップＳ９２８、図１３の動作(6)）。その後、コンテンツａのファイルをクローズする（ステップＳ９２９）。
【００６２】
一方、コンテンツａが再生されている途中で、ユーザーが専用ボタン１１６を押さなかった場合には、それ以降の動作は、既に説明したステップＳ９０５やステップＳ９１２の場合と同等である。
【００６３】
コンテンツａ再生停止処理が終了すると、制御手段１１１は、コンテンツｂのファイルをオープンする（ステップＳ９２０）。制御手段１１１は、ファイルをオープンした後、コンテンツｂの記録停止位置情報を位置情報領域１１４から読み出す（ステップＳ９２１）。この時点で、位置情報領域１１４には「ｂ１」が格納されているので、コンテンツｂの記録位置として「ｂ１」を得ることができる。制御手段１１１は、位置ｂ１（前回記録を止めた位置）からコンテンツｂの記録を再開する（ステップＳ９２２、図１３の動作(7)）。
【００６４】
以降、制御手段１１１は、ステップＳ９１２に戻り、既に説明したように、ステップＳ９１２以降の動作を繰り返すことにより、コンテンツａの再生とコンテンツｂの記録を交互に繰り返すことができる（図１３の動作(8)以降）。
【００６５】
このような構成をとることにより、本実施の形態のデジタルＩＣレコーダーは、お手本となる音声データを聞きながら、好きなタイミングで再生を止めて、そこまでのお手本を真似しながらユーザー自身が発声して記録することができ、さらに専用ボタンを押すことで、これらの動作を繰り返し行うことが出来るので、お手本を真似ながら、ユーザーが発生してそれを記録することが可能となる。
【００６６】
実施の形態１と実施の形態２では、音声データだけを扱っていたが、これに限らない。映像データを含むコンテンツであっても同様の構成で、映像データと音声データからなる２つのコンテンツの繰り返し再生や、コンテンツの再生と記録を繰り返すことができる。
【００６７】
なお、本実施の形態では、コンテンツｂの記録を記録停止位置から再開するようにしているが、記録停止位置を記録せず、ユーザーからの音声を記録するたびに１つのファイルとして記録するように構成してもよい。この場合には、再生と記録の交互処理が終了したときには、ユーザーからの記録データとしては、複数のファイルが作成されることになる。
【産業上の利用可能性】
【００６８】
本発明によれば、音声データだけではなく、映像データを含む２つのコンテンツを交互に再生したり、再生と記録を交互に繰り返すことができるので、語学研修、お稽古事等の自己啓発、楽器演奏などの趣味活動の用途に有用である。
【符号の説明】
【００６９】
１００  デジタルＩＣレコーダー
１０１  マイクロコンピュータ
１０２  マイク
１０３  イヤホン
１０４  スピーカー
１０５  音声データ処理手段
１０６  不揮発性メモリ
１０７  操作手段
１０８  表示手段
１０９  ＲＯＭ
１１０  ＲＡＭ
１１１  制御手段
１１２  音声圧縮伸張手段
１１３  位置情報領域（コンテンツａ）
１１４  位置情報領域（コンテンツｂ）
１１５  コンテンツ再生手段
１１６  専用ボタン
１１７  停止ボタン
１１８  コンテンツ記録手段
【図１】
2014081393.tif 000003
【図２】
2014081393.tif 000004
【図３】
2014081393.tif 000005
【図４】
2014081393.tif 000006
【図５】
2014081393.tif 000007
【図６】
2014081393.tif 000008
【図７】
2014081393.tif 000009
【図８】
2014081393.tif 000010
【図９】
2014081393.tif 000011
【図１０】
2014081393.tif 000012
【図１１】
2014081393.tif 000013
【図１２】
2014081393.tif 000014
【図１３】
2014081393.tif 000015